(57)【要約】      （修正有）【課題】二重瞼形成テープを瞼の奥まで容易に差入れることが可能な二重瞼形成テープ装着具及び二重瞼形成テープの装着方法を提供する。【解決手段】二重瞼形成テープ装着具８０及び二重瞼形成テープの装着方法は、二重瞼形成テープを二重瞼形成テープ装着具８０の装着部に仮貼着し、この装着部ごと瞼に差し入れる。このため、二重瞼形成テープを瞼の奥まで容易に差入れることができ、二重瞼形成テープによるきれいな二重瞼を形成することができる。また、装着部は、上方向に凸に湾曲しているとともに平面方向に凹に湾曲している。これにより、二重瞼形成テープ装着具８０を瞼に差し込む際にユーザの眼球を必要以上に圧迫することがない。よって、ユーザは強い痛みを覚えることなく装着部を瞼に差し込むことができる。【選択図】図１
2014076224.tif 000002
【特許請求の範囲】
【請求項１】
両面に粘着層を備えた二重瞼形成テープを瞼に貼着するための二重瞼形成テープ装着具であって、
上方向に凸に湾曲し且つ平面方向に凹に湾曲した装着部と、
前記装着部の端部に所定の幅で形成された仮着部と、を有し、
二重瞼形成テープの一方の粘着層を前記仮着部に仮貼着した後、前記装着部を瞼の所定の位置に差し込んで前記二重瞼形成テープの他方の粘着層を瞼に粘着させ、その後、前記装着部を瞼から引き抜くことで仮貼着している二重瞼形成テープの粘着層を前記仮着部から剥離するとともに瞼に粘着させることを特徴とする二重瞼形成テープ装着具。
【請求項２】
装着部の上方向への湾曲が人間の眼窩上縁の湾曲と略同等であることを特徴とする請求項１記載の二重瞼形成テープ装着具。
【請求項３】
二重瞼形成テープ装着具の両端に幅寸法の異なる２つの装着部を備えていることを特徴とする請求項２に記載の二重瞼形成テープ装着具。
【請求項４】
装着部の上方向への湾曲の曲率半径が１５ｍｍ〜３５ｍｍであることを特徴とする請求項２又は請求項３に記載の二重瞼形成テープ装着具。
【請求項５】
両面に粘着層を備えた二重瞼形成テープの離形紙を剥がす手順と、
上方向に凸に湾曲し且つ平面方向に凹に湾曲した装着部と前記装着部の端部に所定の幅で形成された仮着部とを有する二重瞼形成テープ装着具の前記仮着部に前記二重瞼形成テープの一方の粘着層を仮貼着する手順と、
前記装着部を二重瞼形成テープごと瞼の所定の位置に差込み、前記二重瞼形成テープの他方の粘着層を瞼に粘着させる手順と、
前記装着部を瞼から引き抜くことで仮貼着している二重瞼形成テープの粘着層を前記仮着部から剥離するとともに瞼に粘着させる手順と、
ヘラ状の調整具を瞼に差入れて二重瞼形成テープの粘着状態を調整し、瞼の外観を整える手順と、
を有することを特徴とする二重瞼形成テープの装着方法
【発明の詳細な説明】
【技術分野】
【０００１】
本発明は、人の瞼に貼着して二重瞼を形成する二重瞼形成テープの装着具及び二重瞼形成テープの装着方法に関するものである。
【背景技術】
【０００２】
従来から、下記［特許文献１］に示すように、人の瞼に貼着して二重瞼を形成する二重瞼形成テープが商品化されている。このような、二重瞼形成テープは両面が粘着層となっており、この両面の粘着層を瞼に貼着して瞼を適度に折畳んだ状態で保持することで二重瞼を形成する。
【先行技術文献】
【特許文献】
【０００３】
【特許文献１】特開２００９−１６０２７５号公報
【発明の概要】
【発明が解決しようとする課題】
【０００４】
しかしながら、ユーザが指で二重瞼形成テープを瞼に貼着する場合、二重瞼形成テープを瞼の奥まで容易に差入れることができず、更なる改善が望まれる。
【０００５】
本発明は上記事情に鑑みてなされたものであり、二重瞼形成テープを瞼の奥まで容易に差入れることが可能な二重瞼形成テープ装着具及び二重瞼形成テープの装着方法を提供することを目的とする。
【課題を解決するための手段】
【０００６】
本発明は、
（１）両面に粘着層１２を備えた二重瞼形成テープ１０を瞼に貼着するための二重瞼形成テープ装着具であって、上方向に凸に湾曲し且つ平面方向に凹に湾曲した装着部（第１の装着部３０ａ、第２の装着部３０ｂ）と、前記装着部の端部に所定の幅で形成された仮着部３２と、を有し、
二重瞼形成テープ１０の一方の粘着層１２を前記仮着部３２に仮貼着した後、前記装着部を瞼の所定の位置に差し込んで前記二重瞼形成テープ１０の他方の粘着層１２を瞼に粘着させ、その後、前記装着部を瞼から引き抜くことで仮貼着している二重瞼形成テープ１０の粘着層１２を前記仮着部３２から剥離するとともに瞼に粘着させることを特徴とする二重瞼形成テープ装着具８０を提供することにより、上記課題を解決する。
（２）装着部の上方向への湾曲が人間の眼窩上縁の湾曲と略同等であることを特徴とする上記（１）記載の二重瞼形成テープ装着具８０を提供することにより、上記課題を解決する。
（３）二重瞼形成テープ装着具の両端に幅寸法の異なる２つの装着部（第１の装着部３０ａ、第２の装着部３０ｂ）を備えていることを特徴とする上記（２）に記載の二重瞼形成テープ装着具８０を提供することにより、上記課題を解決する。
（４）装着部の上方向への湾曲の曲率半径が１５ｍｍ〜３５ｍｍであることを特徴とする上記（２）又は（３）に記載の二重瞼形成テープ装着具８０を提供することにより、上記課題を解決する。
（５）両面に粘着層１２を備えた二重瞼形成テープ１０の離形紙（台紙フィルム１８、離形シート１６）を剥がす手順と、
上方向に凸に湾曲し且つ平面方向に凹に湾曲した装着部と前記装着部の端部に所定の幅で形成された仮着部３２とを有する二重瞼形成テープ装着具８０の前記仮着部３２に前記二重瞼形成テープ１０の一方の粘着層１２を仮貼着する手順と、
前記装着部を二重瞼形成テープ１０ごと瞼の所定の位置に差込み、前記二重瞼形成テープ１０の他方の粘着層１２を瞼に粘着させる手順と、
前記装着部を瞼から引き抜くことで仮貼着している二重瞼形成テープ１０の粘着層１２を前記仮着部３２から剥離するとともに瞼に粘着させる手順と、
ヘラ状の調整具４０を瞼に差入れて二重瞼形成テープ１０の粘着状態を調整し、瞼の外観を整える手順と、
を有することを特徴とする二重瞼形成テープの装着方法を提供することにより、上記課題を解決する。
【発明の効果】
【０００７】
本発明に係る二重瞼形成テープ装着具及び二重瞼形成テープの装着方法によれば、二重瞼形成テープを容易に瞼の奥まで差入れることが可能となる。これにより、二重瞼形成テープによるきれいな二重瞼を形成することができる。
【図面の簡単な説明】
【０００８】
【図１】本発明に係る二重瞼形成テープ装着具を示す図である。
【図２】本発明で使用する二重瞼形成テープの例を説明する図である。
【図３】二重瞼形成テープ装着具に二重瞼形成テープを仮貼着した状態を示す図である。
【図４】クリップ部材を説明する図である。
【図５】クリップ部を備えた二重瞼形成テープ装着具を示す図である。
【図６】本発明に係る二重瞼形成テープの装着方法を説明する図である。
【図７】本発明に係る調整具を示す図である。
【発明を実施するための形態】
【０００９】
本発明に係る二重瞼形成テープ装着具及び二重瞼形成テープの装着方法の実施の形態について図面に基づいて説明する。図１（ａ）は本発明に係る二重瞼形成テープ装着具８０の平面図である。また、図１（ｂ）は二重瞼形成テープ装着具８０の側面図である。また、図１（ｃ）は二重瞼形成テープ装着具８０を第２の装着部３０ｂの側から見た図である。また、図１（ｄ）は二重瞼形成テープ装着具８０を第１の装着部３０ａの側から見た図である。
【００１０】
図１に示す本発明に係る二重瞼形成テープ装着具８０は、持ち手部２０と、持ち手部２０の端部に形成された装着部と、を有している。尚、二重瞼形成テープ装着具８０の持ち手部２０には鎖やストラップを通すことが可能なチェーン孔２２を設けても良い。また、二重瞼形成テープ装着具８０は、図１に示すように、持ち手部２０の両端に幅寸法の異なる２つの装着部（第１の装着部３０ａ、第２の装着部３０ｂ）を形成することが好ましい。ただし、この構成に限定されるわけでは無く、持ち手部２０の一端のみに装着部を形成しても良いし、持ち手部２０の一方に装着部を形成し他方を後述の調整具４０としても良い。尚、図１に示す二重瞼形成テープ装着具８０は、幅寸法の広い第１の装着部３０ａが通常（レギュラー）サイズの装着部であり、一般的なサイズの二重瞼形成テープ１０の使用時に用いる。また、幅寸法の狭い第２の装着部３０ｂはスモールサイズの装着部であり、例えば長さの短い二重瞼形成テープ１０（一般的な長さの二重瞼形成テープ１０を切断しても良い）を部分的に瞼に粘着して二重瞼を形成するときに使用する。
【００１１】
この第１の装着部３０ａ、第２の装着部３０ｂの端部は、二重瞼形成テープ１０の一方の粘着層１２を仮貼着する所定の幅の仮着部３２となっており、また仮着部３２の境界には二重瞼形成テープ１０の仮貼着位置を示唆する凸条３４が形成されている。そして、ユーザはこの凸条３４に沿って二重瞼形成テープ１０を位置させることで、二重瞼形成テープ１０を第１の装着部３０ａ、第２の装着部３０ｂの適正な位置に仮貼着することができる。
【００１２】
二重瞼形成テープ装着具８０（持ち手部２０、第１の装着部３０ａ、第２の装着部３０ｂ）は離形性の高いシリコン樹脂等の合成樹脂で一体的に成形することが好ましく、この構成によれば二重瞼形成テープ１０の仮着部３２への剥離及び仮貼着を繰り返し行うことができる。
【００１３】
また、二重瞼形成テープ装着具８０の装着部（第１の装着部３０ａ、第２の装着部３０ｂ）は、図１（ｃ）、図１（ｄ）に示すように、上方向に凸に湾曲している。この装着部の上方向への湾曲は、平均的な人間の眼窩上縁の湾曲と略同等とすることが好ましく、特に曲率半径Ｒ＝１５ｍｍ〜３５ｍｍとすることが好ましい。尚、第１の装着部３０ａの横幅を２７ｍｍ前後とした場合、第１の装着部３０ａの曲率半径Ｒは２８ｍｍ±３ｍｍ程度とすることが最も好ましい。また、第２の装着部３０ｂの横幅を２０ｍｍ前後とした場合、第２の装着部３０ｂの曲率半径Ｒは１９ｍｍ±３ｍｍ程度とすることが最も好ましい。即ち、装着部の横幅寸法と曲率半径Ｒとは略同等とすることが好ましい。このように、装着部の湾曲を人間の眼窩上縁の湾曲と略同等とすることで、ユーザは強い痛みを覚えることなく二重瞼形成テープ装着具８０の装着部を瞼に差し込むことができる。尚、曲率半径Ｒを１５ｍｍ未満にした場合、装着部を瞼に差し込む際にユーザの眼球を圧迫し強い痛みを感じる可能性がある。また、曲率半径Ｒが３５ｍｍを超えると装着部をユーザの瞼に差し込みづらい場合が生じる。
【００１４】
また、第１の装着部３０ａ、第２の装着部３０ｂは、図１（ａ）に示すように、平面視で（持ち手部２０の側の方向に）凹に湾曲している。前述のように、二重瞼形成テープ装着具８０は装着部をユーザの瞼に差し込んで使用するものであるから、仮に装着部が平らな場合、ユーザの眼球を必要以上に圧迫することとなる。しかしながら、本発明に係る二重瞼形成テープ装着具８０は、装着部を平面方向に凹に湾曲させることでユーザの眼球を必要以上に圧迫することがない。これにより、ユーザは強い痛みを覚えることなく装着部を瞼に差し込むことができる。
【００１５】
次に、本発明に係る二重瞼形成テープ装着具８０に好適な二重瞼形成テープ１０の例を図２を用いて説明する。ここで、図２（ａ）は台紙フィルム１８上に貼着された二重瞼形成テープ１０の例を示す平面図である。また、図２（ｂ）は台紙フィルム１８上に貼着された二重瞼形成テープ１０の模式的な側面図である。また、図２（ｃ）は二重瞼形成テープ１０を説明するための模式的な斜視図である。尚、図２では説明の都合上、二重瞼形成テープ１０の各層の厚みを拡大して図示している。
【００１６】
図２に示す二重瞼形成テープ１０は、基材テープ１４とその両面に形成された粘着層１２とで主に構成されており、それぞれの粘着層１２には離形紙である台紙フィルム１８及び離形シート１６が貼着している。尚、図２では略円弧状の二重瞼形成テープ１０が複数連なって台紙フィルム１８上に貼着されている例を示したが、二重瞼形成テープ１０は直線状でも良いし、台紙フィルム１８上に個別に貼着していても良い。
【００１７】
また、二重瞼形成テープ１０を構成する基材テープ１４の材料としては、可撓性を有する延伸可能なポリエチレン（低密度ポリエチレン）等の合成樹脂フィルムを用いることが好ましい。尚、基材テープ１４は無色透明としても良いし、瞼に貼着したときに目立たぬよう肌色系のインクで着色してもよい。また、二重瞼形成テープ１０の粘着層１２としては、人体に害のない周知のアクリク系粘着剤、ポリエステル系粘着剤等を用いることが好ましく、中でも特にアクリル系水性エマルジョンを用いることが好ましい。
【００１８】
次に、二重瞼形成テープ装着具８０の使用方法を説明する。ここでは、装着部として第１の装着部３０ａを使用する例を用いて説明を行う。先ず、二重瞼形成テープ１０を台紙フィルム１８から剥がすとともに、図２（ｃ）に示すように、二重瞼形成テープ１０の他方の粘着層１２に貼着している離形シート１６を剥離する。これにより、二重瞼形成テープ１０の両面の離形紙が剥がされる。
【００１９】
次に、図３に示すように、二重瞼形成テープ装着具８０の第１の装着部３０ａの仮着部３２に、二重瞼形成テープ１０の一方の粘着層１２を仮貼着する。この際、例えば図４（ａ）に示すようなクリップ部材４２で、図４（ｂ）に示すように二重瞼形成テープ１０を挟むようにすれば粘着層１２がユーザの手指に粘着することが無く、二重瞼形成テープ１０を簡単に仮着部３２に仮貼着することができる。尚、クリップ部材４２も二重瞼形成テープ装着具８０と同様に離形性の高いシリコン樹脂等で形成することが好ましい。また、クリップ部材４２は二重瞼形成テープ装着具８０とセットで販売することが好ましい。
【００２０】
また、クリップ部材４２の替わりに、装着部に二重瞼形成テープ１０の仮貼着を補助するクリップ部３６ａ、３６ｂを設けても良い。ここで、図５（ａ）は、第１の装着部３０ａの片側に二重瞼形成テープ１０を挟む舌片状のクリップ部３６ａを設けたものである。また、図５（ｂ）は、第１の装着部３０ａの両側に、仮着部３２の側に折り曲げて二重瞼形成テープ１０を挟むクリップ部３６ｂを２つ設けたものである。これらクリップ部３６ａ、３６ｂは、離形紙の剥がされた二重瞼形成テープ１０をクリップ部３６ａ、３６ｂで一旦押さえ、その後、移動調整することで、二重瞼形成テープ１０を比較的容易に仮着部３２の適正な位置に仮貼着することができる。
【００２１】
次に、図６（ａ）に示すように、二重瞼形成テープ１０が仮貼着した装着部（第１の装着部３０ａ）をユーザの瞼の所定の位置に差し込む。これにより、二重瞼形成テープ１０の他方の粘着層１２（第１の装着部３０ａに仮貼着していない側の粘着層１２）がユーザの瞼に粘着する。
【００２２】
次に、第１の装着部３０ａをユーザの瞼から引き抜く。これにより、第１の装着部３０ａに仮貼着していた粘着層１２は仮着部３２から剥離するとともにユーザの瞼に粘着する（図６（ｂ））。
【００２３】
次に、例えば図７に示すようなヘラ状の調整具４０を、図６（ｃ）に示すようにユーザの瞼に差入れて、二重瞼形成テープ１０の粘着状態や瞼の折畳み具合を調整し瞼の外観を整える。これにより、ユーザの瞼は図６（ｄ）に示すように適度に折畳まれた状態で粘着維持され、きれいな二重瞼が形成される。
【００２４】
以上のように、本発明に係る二重瞼形成テープ装着具８０及び二重瞼形成テープの装着方法は、二重瞼形成テープ１０を二重瞼形成テープ装着具８０の装着部に仮貼着し、この装着部ごと瞼に差し入れる。このため、二重瞼形成テープ１０を瞼の奥まで容易に差入れることができ、二重瞼形成テープ１０によるきれいな二重瞼を形成することができる。また、二重瞼形成テープ装着具８０の装着部は、上方向に凸に湾曲しているとともに平面方向に凹に湾曲している。これにより、二重瞼形成テープ装着具８０を瞼に差し込む際にユーザの眼球を必要以上に圧迫することがない。よって、ユーザは強い痛みを覚えることなく装着部を瞼に差し込むことができる。
【００２５】
尚、本例で示した二重瞼形成テープ装着具８０のデザインは一例であり、二重瞼形成テープ装着具８０の各部の寸法、形状、材質等は、本発明の要旨を逸脱しない範囲で変更して実施することが可能である。
【符号の説明】
【００２６】
１０    二重瞼形成テープ
１２    粘着層
３０ａ  第１の装着部（装着部）
３０ｂ  第２の装着部（装着部）
３２    仮着部
１６    離形シート（離形紙）
１８    台紙フィルム（離形紙）
４０    調整具
８０    二重瞼形成テープ装着具
【図１】
2014076224.tif 000003
【図２】
2014076224.tif 000004
【図３】
2014076224.tif 000005
【図４】
2014076224.tif 000006
【図５】
2014076224.tif 000007
【図６】
2014076224.tif 000008
【図７】
2014076224.tif 000009